(57)【特許請求の範囲】
【請求項１】
平板部と平板部に開放端を有する筒部からなるテーブル状単位部材であって、前記平板部は、略垂直なリブと当該リブの端部を一体的に結合する平坦な薄板から形成され、当該薄板は平板部の筒部の突出方向側に存在し、筒部開放端側を表面とする平板部であることを特徴とするテーブル状単位部材。
【請求項２】
請求項１記載のテーブル状単位部材を複数配列することで地下に貯留空間を形成し、前記貯留空間をシートで覆った雨水等の貯留浸透施設において、前記テーブル状単位部材の平板部の表面を前記貯留空間の底部に接するように配列したことを特徴とする雨水等の貯留浸透施設。
【発明の詳細な説明】
【技術分野】
【０００１】
本発明は、雨水の貯留浸透施設に充填する、あるいは軽量盛土の芯とする単位部材の技術に属する。
【背景技術】
【０００２】
雨水の流出抑制を目的として、プラスチックなどで製造された単位部材を充填しその周囲を適宜シートで覆った雨水貯留浸透施設が普及している。この目的のために各種の形状の部材が例えば特開昭62−101097、特開昭62−126179、特開平9−296486、特開平10−252108、特開平10−115778、特開平11−43971、特開平11−222886などに提案され、かつ使用されている。いずれの方法も部材を配置しその周囲を透水性もしくは遮水性のシート類で包み、その内部空間に雨水を貯蔵する貯留浸透施設とするものである。
かかる単位部材には軽量盛土の芯として使用することが提案されているものもある。
上記開示された単位部材のうち図６に示すような、平板部と平板部に開口する筒部を有するテーブル状単位部材は、通常筒部にテーパを設けて入れ子状に積み上げられるようになっており、運搬貯蔵に大きなスペースを取らないよう工夫されている。テーブル状単位部材の平板部はリブで形成され、筒状部と平板部との付け根を裏面とし、開放端を表面とすると、裏面にリブの孔部が現れ、表面が平滑となる。かかるテーブル状部材の筒部同士を付き合わせた対を配置して貯留空間を形成すると、対としたテーブル状部材の下に位置する平板部の裏面が上となり、リブで囲まれた小空間は容器状となり、その中の水は死に水となりあるいは水中の砂泥が堆積し、槽の貯留量を減ずる可能性がある。
【０００３】
【特許文献１】特開昭62−101097
【特許文献２】特開昭62−126179
【特許文献３】特開平9−296486
【特許文献４】特開平10−252108
【特許文献５】特開平10−115778
【特許文献６】特開平11−43971
【特許文献７】特開平11−222886
【発明の開示】
【発明が解決しようとする課題】
【０００４】
本発明は、上記テーブル状単位部材の死に水あるいは砂泥の堆積を防ぐテーブル状単位部材の改良を提案するものである。
【課題を解決するための手段】
【０００５】
本第１の発明は、平板部と平板部に開放端を有する筒部からなるテーブル状単位部材であって、平板部と平板部に開放端を有する筒部からなるテーブル状単位部材であって、前記平板部は、略垂直なリブと当該リブの端部を一体的に結合する平坦な薄板から形成され、当該薄板は平板部の筒部の突出方向側に存在し、筒部開放端側を表面とする平板部であることを特徴とするテーブル状単位部材である。
死に水、砂泥の堆積を防ぐため対として使用する時のテーブル状部材の平板部の孔を下向きにした。
本第２の発明は、上記発明のテーブル状単位部材を複数配列することで地下に貯留空間を形成し、前記貯留空間をシートで覆った雨水等の貯留浸透施設において、前記テーブル状単位部材の平板部の表面を前記貯留空間の底部に接するように配列したことを特徴とする雨水等の貯留浸透施設である。
【発明の効果】
【０００６】
本発明は、テーブル状部材であって平板部をリブで形成し、対として使用する時の平板部が上向きとなる面のリブによる孔部を閉じたため、死に水、砂泥の堆積を防ぐことができる。
【発明を実施するための最良の形態】
【０００７】
以下本発明を図により詳細に説明する。
図1は本発明のテーブル状単位部材をその平板部の表面及び裏面から見た斜視図である。
図1ａは、表面から見た図であり、図１ｂは裏面から見た図である。
【０００８】
図に示すように、テーブル状部材の平板部はリブで形成され、表面は孔部が現れ、裏面部はその孔が閉じられ平坦となっている。図２は本発明であるテーブル状部材の他の例を示している。平板部の端部が切り欠かれ十字形となっている例である。
【０００９】
図３はテーブル状部材をその筒部を付き合わせるように組み合わせた対の断面を示している。対の下に位置するテーブル状部材の平板部の上部、テーブル状部材の平板部の裏面はリブの孔が塞がれ平坦となっている。
【００１０】
図１、図２に示したテーブル状部材は平板部と平板部に開口するひとつの戴円錐形の筒部を示しているが本形状に限らない。平板部に複数の筒部を有するものでもよく、筒部の形状も戴多角錐、梅鉢状、十字状など、筒部の開放端より閉鎖端に向かって狭くなるテーパを有し、互いに入れ子状に積み重ね可能な形状であればよい。
【００１１】
上記テーブル状単位部材は図４にその例を示すように、従来のテーブル状部材と同様上下左右に配列し、必要に応じて継ぎ手などを使用して互いに連結し、その側壁部を別途用意した壁材で覆い、貯留空間を構成する。この貯留空間を地下に構成し、その周囲をその目的に応じたシート類で覆うことで雨水の流出抑制に使用する浸透槽、貯留槽あるいは浸透・貯留兼用の貯留浸透槽とすることができる。必要に応じ、泥だめます、オリフィス、越流管その他の付帯設備を設けることは従来どおりである。地下水面より上に設置し、使用するシートが浸透性のシートならば浸透槽、槽の底部が地下水面より下にくる場合は遮水性のシートで覆い地下水の浸入を防止する貯留槽とすることができる。地下水位より上方に遮水性のシートで覆った貯留槽を設置し、貯留した雨水の漏出を防ぎ雨水の有効利用を図ることもできる。
【００１２】
図５は軟弱地盤上に単位部材を配列しその側壁部を別途用意した壁材で覆い、全体を透水性のシートで覆い配列部内外を水の行き来が自由となるように構成することで軽量盛土の芯として使用することも従来どおりである。
【００１３】
上記単位部材の材質は従来と同様、射出成形可能なポリオレフィン類、例えばポリプロピレン、ポリエチレン、あるいは熱可塑性のハイインパクトポリスチレン、スチレン−アクリロニトリルなどの共重合体などであり、必要に応じてステンレススチールなどの金属製であってもよい。
【図面の簡単な説明】
【００１４】
【図１】本発明のテーブル単位部材の例を示す概念図である。
【図２】本発明のテーブル単位部材の例を示す他の概念図である。
【図３】本発明のテーブル状単位部材をその筒部閉端を付き合わせた対を示す概念図である。
【図４】雨水の貯留浸透を目的とする地下水槽の概念図である。
【図５】軽量盛土の芯として使用する例の概念図である。
【図６】従来のテーブル状部材の例を示す概念図である。
【符号の説明】
【００１５】
１  テーブル状単位部材
２  平板部
３  筒部
４  リブ
５  リブの開口部
６  リブの閉鎖部（薄板）
７  シート類
【図１】
0005440824.tif 000002
【図２】
0005440824.tif 000003
【図３】
0005440824.tif 000004
【図４】
0005440824.tif 000005
【図５】
0005440824.tif 000006
【図６】
0005440824.tif 000007